(57)【特許請求の範囲】
【請求項１】
バトンと、このバトンを吊り下げる少なくとも２本以上の紐状体と、これらの紐状体を昇降させる昇降機構とからなるバトンの昇降装置において、
前記昇降機構は、
駆動モーターにより正逆回転駆動されるバトンの長さ方向に平行な駆動軸と、
駆動軸の両端部にて傘歯車によりバトンの長さ方向に垂直な回転軸となる回転に変換され表面の溝に１本又は２本以上の紐状体を嵌め込みながら巻き取り及び引き出し自在となる一対の巻き取りドラムと、
この巻き取りドラムの表面の紐状体との巻き取り接触点付近を弾性にて押さえ込む押さえ部材と、
バトンの紐状体との接続位置の上方にて、水平方向に送られてくる各紐状体の向きを略９０°の角度巻回して垂直方向に変換する主プーリーと、
巻き取りドラムの近接位置にある少なくとも１つ以上の主プーリーに対し、この主プーリーより巻き取りドラムから遠い位置に補助プーリーを設けておき、巻き取りドラムからの紐状体を補助プーリーにて略１８０°の角度巻回してから当該主プーリーに折り返して供給していることを特徴とするバトンの昇降装置。
【請求項２】
上記バトンと紐状体との接続が、紐状体の端部はバトンの長さ方向と平行状態でバトンに締め付けられ、バトンに固定された水平方向から垂直方向にかけて曲線に沿った断面Ｖ型のＶ字溝に紐状体が嵌め込まれている請求項１に記載のバトンの昇降装置。
【発明の詳細な説明】
【技術分野】
【０００１】
この発明は、会議室、宴会場、体育館、劇場等において、各種パネルやポスター或いは演出装置等の各種吊下物を昇降させるバトン装置に関し、更に詳しくは、バトンの昇降装置に関するものである。
【背景技術】
【０００２】
バトン装置は、各種吊下物を固定するため水平状態に維持された長尺のバトンと、バトンを設置すべき位置の天井等に固定されバトンを昇降させる昇降装置とからなり、バトンと昇降装置とはワイヤーやベルト等の紐状体で接続されて昇降装置の下にバトンを吊り下げるようにしておいて、昇降装置がこの紐状体を伸ばしたり縮めたりすることによりバトンの昇降動作をしていた。
【０００３】
紐状体によるバトンの昇降原理としては、例えば、直接ワイヤー等を引き上げたり伸ばしたりしてバトンを昇降動させるものがあり、ワイヤーの駆動手段としては、手動によりワイヤーを巻いたり戻したりして行うものや（例えば、特許文献１参照）、電動巻上機等の機械的手段を用いるものがある（例えば、特許文献２参照）。
【０００４】
また、昇降装置の回転体にプーリーを設け、このプーリーにベルトやワイヤー等の紐状体を巻回し、回転体を駆動モーター等にて正逆回転駆動することにより、プーリーに巻かれた紐状体を巻き上げたり戻したりしてバトンを昇降動させるものもある（例えば、特許文献３参照）。
【先行技術文献】
【特許文献】
【０００５】
【特許文献１】特開平８−２４５１８５号公報（図１）
【特許文献２】実用新案登録第３０６４４８４号（図１）
【特許文献３】実用新案登録第３０３８９３４号公報（図１、図２、図１３、図１４）
【発明の概要】
【発明が解決しようとする課題】
【０００６】
ところで、バトンを吊り下げているベルトやワイヤーなどの紐状体を昇降させる機構は、通常、モーター駆動又は手動による回転力を巻き取りドラムに伝達し、該巻き取りドラムが正逆回転することにより紐状体を巻き取ったり引き出したりすることで行っている。
【０００７】
この巻き取りドラムは、回転するドラムの両側に紐状体の幅を隔てて側板を設けておき、この両側板内に紐状体を順次重ねるようにして巻き取っていくものがあり（例えば、特許文献３の図１３、図１４等参照）、この方法であると、紐状体が左右でほぼ同じ位置でドラムに対して出し入れされるため、バトンの上下位置によってバトンが横移動しない利点があるが、紐状体が重なって巻き取られるため、あまり長い紐状体を用いたり出来ず、また、バトンにあまり重量物を吊り下げできない欠点もある。
【０００８】
一方、回転ドラムの表面に一方端から他方端に連続する１本の螺旋溝を設け、この螺旋溝に紐状体を嵌め込んで巻き取っていく方式もあり、この場合、ドラムの横方向長さを取れば、長い紐状体を用いることができ、また紐状体はその全長が回転ドラムの表面に接触して巻き取られているため、重量のあるバトンや吊下物でも対応できる。
【０００９】
しかし、巻き取りに伴い、紐状体の位置が巻き取りドラムの一方端部から他方端部へと移動するため、バトンもそれに伴い横移動してしまう欠点があり、また、吊り下げているバトンを手に持つなどして紐状体の負荷をなくしてしまうと、紐状体が緩み、巻き取りドラムの表面の溝から紐状体が外れてしまい、その場合、再度溝に紐状体を嵌めないと、そのままではバトンの昇降ができなくなってしまう。
【００１０】
なお、上記螺旋溝を設けた巻き取りドラムを用いる方式にて、位置が固定された固定プーリーを設け、紐状体を固定プーリーを介してから巻き取りドラムに巻き取るようにして、紐状体の巻き取りに伴う紐状体の位置（バトンの位置）を移動させない方法もある。
【００１１】
図９は、上記巻き取りドラム４１に対して、固定プーリー４２を設けて、この固定プーリー４２にて一旦バトンからの紐状体４３を受けて、それから巻き取りドラム４１に渡して巻回する方式を示している。
【００１２】
しかし、固定プーリー４２は同じ場所で紐状体４３を掛けて巻き取りドラム４１へ送っているのに対し、巻き取りドラム４１は前述のように紐状体４３の巻き取り位置を変化させていくので、巻き取りドラム４１の紐状体４３の巻き取り位置によっては、例えば、巻き始め位置の紐状体４３（実線）と巻き終わり位置の紐状体４３（点線）は、固定プーリー４２から送られてくる紐状体４３の角度が大きく傾斜していることがわかる。
【００１３】
このように紐状体４３と巻き取りドラム４１の回転軸線とのなす角度が直角からずれる程、巻き取りドラム４１の螺旋溝と紐状体４３との角度がずれていき、うまく螺旋溝に嵌まらないようになってしまうことや、固定プーリー４２の部分においても紐状体４３の角度が付きすぎて、紐状体４３が固定プーリー４２から外れることがある。
【００１４】
そこで、巻き取りドラム４１を、紐状体４２とのなす角度が一定（回転軸と直交）となるように、紐状体の巻き取り度合いによって巻き取りドラム４１をその回転軸の方向に沿って移動させるようにしたものがある。
【００１５】
しかし、巻き取りドラムを回転駆動させながら移動させる機構が必要となり装置コストが高くなる問題があり、また、この方式によっても、バトンを手に持ったりして負荷が無くなると紐状体が巻き取りドラムの螺旋溝から外れるという問題は解決しなかった。
【００１６】
また、バトンの大型化に伴い、バトンに取り付けられる物品も増えたり大型化し、バトンを吊る紐状体の数を増やしたり、紐状体に金属ワイヤを用いたりして対処しているが、紐状体（ワイヤ）とバトンとの取付強度を強くしていないと、展示中にバトンとワイヤとが外れたりして事故に繋がるおそれがある。
【００１７】
そのため、バトンとワイヤの接続は、図１０のようにワイヤ４４の端部を重ねて重なり部分の複数箇所を締め付け具４５により締め付けたり、ワイヤ端部を力が加わっても緩まないような既知の特殊な結び方をしたりしているが、それらの場合、バトン上にワイヤ取付のための複数の締め付け具４５による締め付け部分や、特殊な結びのための寸法が必要となり、バトンを昇降装置のプーリーの直前まで上昇させることができないことになる。
【００１８】
このようにバトンの上昇限度が規制されてしまい、天井が低い場合は展示位置が制限を受けたり、バトン上昇位置でケース内にバトンを収納する装置の場合、ケースの上下寸法が大型化するといった問題があった。
【００１９】
この発明は、上記のような課題を解決し、十分に長い紐状体を用いたり、バトンに重量物を吊り下げできると共に、バトンの昇降に伴うバトンの移動や紐状体が外れたりすることが無く、また、バトンや吊り下げ物を手に持って負荷を無くしても、紐状体の巻き取りドラムからの外れ等の巻き取りに支障を来さず、更に、バトンと紐状体との取付寸法を上下方向に小さくすることで、バトンの昇降距離を稼いだりケースを小型化できるバトンの昇降装置を提供することにある。
【課題を解決するための手段】
【００２０】
上記のような課題を解決するため、請求項１の発明は、バトンと、このバトンを吊り下げる少なくとも２本以上の紐状体と、これらの紐状体を昇降させる昇降機構とからなるバトンの昇降装置において、前記昇降機構は、駆動モーターにより正逆回転駆動されるバトンの長さ方向に平行な駆動軸と、駆動軸の両端部にて傘歯車によりバトンの長さ方向に垂直な回転軸となる回転に変換され表面の溝に１本又は２本以上の紐状体を嵌め込みながら巻き取り及び引き出し自在となる一対の巻き取りドラムと、この巻き取りドラムの表面の紐状体との巻き取り接触点付近を弾性にて押さえ込む押さえ部材と、バトンの紐状体との接続位置の上方にて、水平方向に送られてくる各紐状体の向きを略９０°の角度巻回して垂直方向に変換する主プーリーと、巻き取りドラムの近接位置にある少なくとも１つ以上の主プーリーに対し、この主プーリーより巻き取りドラムから遠い位置に補助プーリーを設けておき、巻き取りドラムからの紐状体を補助プーリーにて略１８０°の角度巻回してから当該主プーリーに折り返して供給している構成を採用する。
【００２１】
また、請求項２の発明は、上記請求項１に記載のバトンの昇降装置において、バトンと紐状体との接続が、紐状体の端部はバトンの長さ方向と平行状態でバトンに締め付けられ、バトンに固定された水平方向から垂直方向にかけて曲線に沿った断面Ｖ型のＶ字溝に紐状体が嵌め込まれている構成を採用する。
【発明の効果】
【００２２】
この請求項１の発明によると、バトンを吊り下げる紐状体を昇降させる昇降機構は、少なくとも巻き取りドラムと主プーリーとの距離が近い位置にある紐状体を、主プーリーで受けてから、一旦外側（巻き取りドラムより遠い方向）に誘導し、外側で紐状体を補助プーリーにより折り返して巻き取りドラムの螺旋溝に紐状体を巻回しているので、バトンの昇降位置、即ち、紐状体が巻き取りドラムの螺旋溝のどの位置にまで巻回されていても、巻き取りドラムと補助プーリーとの距離が長く取ることができるので、補助プーリーと巻き取りドラム間の紐状体が巻き取りドラムの回転軸とのなす角度が直角から大きくずれないため、紐状体がうまく螺旋溝に嵌まらなかったり、巻き取りドラムや補助プーリーから紐状体が外れるといったことがない。
【００２３】
また、上記のような少なくとも巻き取りドラムと主プーリーの距離が近い紐状体の保持ルートに、補助プーリーを追加設置するといった簡単な構成で、巻き取りドラムに巻き取られる紐状体の角度がつくのを防ぐことができ、巻き取りドラムを移動させるといった複雑な機構が必要なくなり、低コストで安定したバトンの昇降装置を得ることができる。
【００２４】
更に、押さえ部材が紐状体と巻き取りドラムとの接触部付近を押さえているので、設置時や展示時に、人がバトンや吊下物を手で持ってしまって、紐状体に負荷がかからなくなり紐状体が緩んだとしても、紐状体が巻き取りドラムの螺旋溝や巻き取りドラム自体から外れてしまうような事故を未然に防ぐことができる。
【００２５】
また、巻き取りドラムの駆動は、駆動モーターからの回転出力をバトンと平行な駆動軸の回転により伝え、駆動軸の両端部にて傘歯車により巻き取りドラムをバトンの長さ方向と垂直な回転軸方向にする構成とすることで、硬質な歯車による回転力の伝達であり、ベルトドライブを用いた場合のベルトの伸びによる回転伝達や停止の遅延や、ベルトの滑りによるバトンの水平のずれが生じたりすることがなく、確実に回転運動を伝えることでバトンの正確な昇降動を得ながら、紐状体の送り出しをバトンの長さ方向と平行方向にするような巻き取りドラムの回転を得ることができる。
【００２６】
さらに、駆動軸はバトンの長さ方向に平行であるため、出力を取り出す駆動モーターもバトンの長さ方向に縦置きに配置でき、ベルト駆動の場合のように、駆動モーターの回転軸をバトンの長さ方向に垂直に配置して駆動モーターの長さ分ケースの幅が増えるといったことがなく、ケースの小型化できる。
【００２７】
請求項２の発明によれば、紐状体にかかるバトンや吊下物の荷重を、バトンと一体となった水平方向下向きから垂直方向まで曲線に沿って形成されたＶ字溝に、紐状体（ワイヤ）が嵌まり込み、Ｖ字溝全長にわたって荷重を受け止めるので、ワイヤ端部へ荷重が集中せず、また、荷重がかかればかかるほど、ワイヤがＶ字溝の奥に食い込んでゆくので、ワイヤとバトンの接続が外れるような事故も生じない。
【００２８】
更に、請求項２のようなバトンと紐状体（ワイヤ）の接続構造を取れば、バトンとワイヤの接続のために、図１０のようにワイヤ４４の端部を重ねて重なり部分の複数箇所を締め付け具４５により締め付けたり、ワイヤ端部を力が加わっても緩まないような既知の特殊な結び方をしたりした場合のように上下方向の寸法を取るとったことなく接続固定することができるので、バトンを昇降装置の主プーリー付近まで上昇させることができ、バトンの上昇位置が高く設定でき、またボックス内にバトンを収納するタイプの場合、ボックスの上下寸法を小さくできるという利点もある。
【図面の簡単な説明】
【００２９】
【図１】この発明の装置を示すもので、（Ａ）は一部透過底面図、（Ｂ）は一部透過正面図である。
【図２】図１の昇降装置付近の拡大図で、（Ａ）は一部透過底面図、（Ｂ）は一部透過正面図である。
【図３】（Ａ）（Ｂ）は巻き取りドラムと紐状体の状態を示す解説図である。
【図４】（Ａ）（Ｂ）はこの発明の装置の他の例を示す一部透過正面図である。
【図５】接続部材を示すもので、（Ａ）は左側面図、（Ｂ）は押さえ部材を外した状態の平面図、（Ｃ）は押さえ部材を装着した状態の右側面図、（Ｄ）は正面断面図でＤ−Ｄ線矢視図である。
【図６】押さえ部材を示すもので、（Ａ）は平面図、（Ｂ）は正面図、（Ｃ）は底面図である。
【図７】（Ａ）は細いワイヤを装着した接続部材の要部の右側面図及び正面断面図、（Ｂ）は太いワイヤを装着した接続部材の要部の右側面図及び正面断面図である。
【図８】（Ａ）は図７（Ａ）の状態のＶ字溝とワイヤの状態を説明する断面図、（Ｂ）は図７（Ｂ）の状態のＶ字溝とワイヤの状態を説明する断面図である。
【図９】従来のプーリーと紐状体を示す解説図である。
【図１０】従来のワイヤの固定構造を示す図である。
【発明を実施するための形態】
【００３０】
以下、この発明の実施の形態を添付図面図１乃至図８を参考にして説明する。
図１乃至図３に示すのは、この発明のバトンの昇降装置の一実施形態であり、バトン１は、水平状態を維持したまま最上昇位置から最下降位置までの間の任意の位置で固定できるようになっており、図１（Ａ）が下から見た底面図、図１（Ｂ）がバトン１を途中の任意の位置で止めた状態の正面図、図２（Ａ）（Ｂ）はそれぞれ図１（Ａ）（Ｂ）の昇降装置付近の拡大図である。
【００３１】
バトン１の材質は特に限定されないが、通常は剛性と重量のバランスから主としてスチールなどの金属製が選ばれており、形状は長尺円柱状、パイプ状となり、必要に応じてバトン１の長さ方向に沿って吊下物を固定するための長尺状の取付具（図示せず）が複数個設けられている。
【００３２】
上記バトン１の昇降動は、バトン１の左右及び中の３箇所に接続された紐状体２ａ、２ｂ、２ｃが昇降機構により昇降動することにより行われている。
【００３３】
紐状体２ａ、２ｂ、２ｃは、バトン１及びこのバトン１に取り付けられて吊り下げられる各種吊下物（図示せず）の重量に耐えられるような金属製のワイヤ等からなるが、バトン１を吊下物と共に吊り下げる程度の強度があれば材質は特に限定されず、繊維を用いた紐状体等であってもよい。
【００３４】
３本の紐状体２ａ、２ｂ、２ｃを均等に上下させることによりバトン１を水平を保ったまま上下させる昇降装置は、天井等に適宜手段により固定され、バトン１を収納できる程度の長さを有する下面が開放の横長矩形状のカバー３内に収納されている。
【００３５】
昇降機構の構成は、バトン１に取り付けられた紐状体２ａ、２ｂ、２ｃの３箇所の取り付け位置の間隔と同じ間隔を有してカバー３内の天井付近に取り付けられ、水平かつバトン１の長さ方向に直交する回転軸を有する一対の主プーリー４ａ、４ｂ、４ｃと、主プーリー４ｃと同軸の２連滑車となった補助プーリー５と、カバー３内の前記主プーリー４ａ、４ｂよりも内側に設けられ、水平かつバトン１の長さ方向に直交する回転軸を有し、正逆回転により紐状体２ａ、２ｂ、２ｃの巻き取りと取り出しを行う左右一対の巻き取りドラム６ａ、６ｂと、この巻き取りドラム６ａ、６ｂを駆動する駆動モーター７とからなる。
【００３６】
前記主プーリー４ａ、４ｂ、４ｃは、紐状体２ａ、２ｂ、２ｃが嵌まり込む断面半円状の溝を一つ有する滑車であり、バトン１からの紐状体２ａ、２ｂ、２ｃを最初に受け、その際、バトン１の３箇所の紐状体２ａ、２ｂ、２ｃの取り付け位置の間隔と同じ間隔を有しているために紐状体２ａ、２ｂ、２ｃはこの主プーリー４ａ、４ｂ、４ｃから略垂直状に垂れ下がっている。
【００３７】
また、紐状体２ａ、２ｃは、この主プーリー４ａ、４ｃに対して外側から入って主プーリ４ａ、４ｃの上面の溝で支持され、その後、巻き取りドラム６ａ、６ｂに繋がるため、各紐状体２ａ、２ｃは、この主プーリー４ａ、４ｃに略９０°の角度巻回して垂直方向からカバー３の内側に向けて水平方向に送られることになる。
【００３８】
また、紐状体２ｂは、主プーリー４ｂに対して左側から入って主プーリ４ｂの上面の溝で支持され、その後、右側の補助プーリー５に繋がるため、紐状体２ｂは、この主プーリー４ｂに略９０°の角度巻回して垂直方向からカバー３の外側に向けて水平方向に送られることになる。
【００３９】
カバー３の右側にある主プーリー４ｃと同軸の補助プーリー５は、前記主プーリー４ａ等と同じ構造をした紐状体２ｂが嵌まり込む断面半円状の溝を一つ有する滑車であり、主プーリー４ｂからの紐状体２ｂを受け取り、紐状体２ｂはこの補助プーリー５の溝の外側に略１８０°の角度巻回されて左側に折り返されることになる。
【００４０】
左側に位置する巻き取りドラム６ａは、紐状体２ａの一方端が接続固定されており、巻き取りドラム６ａが回転することにより表面に設けられた１本の螺旋溝８に紐状体２ａが嵌まり込んでゆくようになっている。
【００４１】
一方、右側に位置する巻き取りドラム６ｂは、紐状体２ｂ、２ｃのそれぞれの一方端が接続固定されており、巻き取りドラム６ｂが回転することにより表面に設けられた２本の螺旋溝８に紐状体２ｂ、２ｃが同時に嵌まり込んでゆくようになっている。
【００４２】
図１の要部を拡大した図２（Ａ）（Ｂ）に示すように、各巻き取りドラム６ａ、６ｂは、その回転軸と垂直方向（バトンの長さ方向）に延びる駆動軸９との間に傘歯車１０ａ、１０ｂを介して動力が繋がっており、この駆動軸９は、駆動モーター７の出力軸１１に平歯車１２を介して直結され、この駆動モーター７の正逆回転に従って各巻き取りドラム６ａ、６ｂは正逆回転する。
【００４３】
駆動モーター７は平歯車１２を用いることで駆動軸９の横に横長に配置でき、駆動モーター７の設置によって上下寸法を採ることがなく、この配置によりケース３の小型化に貢献している。
【００４４】
左右の巻き取りドラム６ａ、６ｂの正逆回転により、各紐状体２ａ、２ｂ、２ｃを巻き取ったり引き出したりするが、同じ駆動軸９から傘歯車１０ａ、１０ｂにて駆動力が伝えられる両巻き取りドラム６ａ、６ｂは左右対称に配置され、両巻き取りドラム６ａ、６ｂは正面から見て同時に逆方向に回転することになっているので、左右の巻き取りドラム６ａ、６ｂに同じ部品を用いた場合、左右で巻き取りと引き出しが同じになるように、図示のものは両巻き取りドラム６ａ、６ｂはその上側にて紐状体２ａ、２ｂ、２ｃを受け取るようになっている。
【００４５】
更に、巻き取りドラム６ａ、６ｂの紐状体２ａ、２ｂ、２ｃを受け取る位置（紐状体との接触点）付近では、コイルバネにより弾性力で巻き取りドラム６ａ、６ｂの表面を押さえ込む押さえ部材１３が設けられており、この押さえ部材１３が、巻き取りドラム６ａ、６ｂの螺旋溝８に嵌まり込んだ直後の紐状体２ａ、２ｂ、２ｃを巻き取りドラム６ａ、６ｂ側に押さえ込んでいる。
【００４６】
押さえ部材１３の巻き取りドラム６ａ、６ｂの表面の紐状体２ａ、２ｂ、２ｃに接触して押さえる部分はロール状としているが、特に限定されず、巻き取りに伴い紐状体が螺旋溝８へ埋まっていき、巻き取りドラム６ａ、６ｂと紐状体２ａ、２ｂ、２ｃとの接触点も巻き取りドラム６ａ、６ｂの全幅に亘って変化してゆくので、巻き取りドラム６ａ、６ｂの全幅を押さえることができる形状とし、また、巻き取り・取り出しに伴う動きを妨げないような材質のもので、摺動に伴う耐摩耗性があるものであれば特に限定されない。
【００４７】
また、図示実施形態のもののように、押さえ部材１３の弾性力付与にコイルバネを用いるものが構造や耐久性の点で有利であるが、特に限定されるものではなく、小型のバトン装置等では簡易的に板バネを用いてもよい。
【００４８】
この発明のバトンの昇降装置は上記のような構成であり、まず、駆動モーター７の制御された回転駆動により、左右の巻き取りドラム６ａ、６ｂに巻かれていた紐状体２ａ、２ｂ、２ｃを引き出し、それに従いバトン１は下降する。
【００４９】
その際、バトン１の最上昇位置からの巻き取りドラム６ａ、６ｂの紐状体２ａ、２ｂ、２ｃの引き出し開始位置と、バトン１の最下降位置での巻き取りドラム６（６ａ、６ｂ）の紐状体２（２ａ、２ｂ、２ｃ）の引き出し終了位置が、巻き取りドラム６（６ａ、６ｂ）の各螺旋溝８の全幅分離れているが、この実施形態の場合、巻き取りドラムと主プーリーとの距離が一番近い巻き取りドラム６ｂと主プーリ４ｂを使う紐状体２ｂであっても、巻き取りドラム６ｂと補助プーリー５との距離が離れているので（図３（Ａ）及び（Ｂ）参照）、その角度が大きく変化しないので、図４で示すように、紐状体２ｂが巻き取りドラム６ｂのどの位置で引き出されたり巻き戻されていても、螺旋溝８から紐状体２ｂが外れたりせず、また、距離に余裕のある巻き取りドラム６ａと主プーリー４ａ、巻き取りドラム６ｂと主プーリー４ｃから紐状体２ａ、２ｃが外れたりすることがなく、よって、巻き取りドラムと次のプーリーとの間隔が狭い場合に必要となる、巻き取りドラムを回転軸に沿って移動させる複雑な機構が不要となる。
【００５０】
また、吊り下げているバトン１を手に持ってしまうなどして負荷をなくして紐状体が緩んでも、巻き取りドラム６ａ、６ｂに巻き取られた付近の紐状体２ａ、２ｂ、２ｃを、押さえ部材１３が巻き取りドラム６ａ、６ｂの表面に弾性を利用して押さえ込んでいるので、巻き取りドラム６ａ、６ｂの螺旋溝８から紐状体２ａ、２ｂ、２ｃが外れてしまうことがない。
【００５１】
なお、バトン１を下降位置まで下げたり、最上昇位置（カバー３内への収納位置）に上昇させた時、紐状体２ａ、２ｂ、２ｃの引出や巻き取りを停止させるため、駆動軸９の積算回転数をチェックしておいて、適宜位置にて駆動モーター７を停止させるリミットスイッチ１４が、図２に示すように駆動軸９の回転を検出できる位置に設けられている。
【００５２】
この発明のバトン装置のように、駆動モーター７から平歯車１２、駆動軸９、及び、傘歯車１０ａ等を通じて巻き取りドラム６ａ等を制御する方法であると、紐状体２ａ等の巻き取り量、即ちバトン１の昇降位置が正確に制御及び認識ができるので、駆動軸９の積算回転量をモニターすることで、正確にバトン１の昇降動と、昇降の上端及び下端での正確な停止が行えるようになる。
【００５３】
図１乃至図２の実施例のバトン装置は上記のような構成であるが、この発明の目的の範囲内で構成は適宜変更できる。例えば、上記実施形態では補助プーリー５を用いたのは中央の紐状体２ｂ用の主プーリー４ｂのみであったが、左側の巻き取りドラム６ａと主プーリー４ａとの距離をあまり取れない場合、ケース３の最左端にも補助プーリー５を設けて、紐状体２ａについても補助プーリー５を通じて主プーリー４ａに供給するようにしてもよい。
【００５４】
図４（Ａ）に示すバトン装置は、バトンを吊り下げる紐状体２を二本用いてバトンを二点吊りとしたものであり、駆動モーター７や回転軸９及び両巻き取りドラム６、６などからなる昇降機構は、ケース３の中央に位置している。
【００５５】
二点吊りの場合、バトン１やバトン装置自体が小さいので、２点のバトンの吊り下げ位置の間隔も小さくなるので、両方の紐状体２、２共に、ケース３の両端に設けた補助プーリー５を通じて主プーリー４に供給するようにしている。
【００５６】
なお、二点吊りの場合、昇降機構を左右どちらかにオフセットして、巻き取りドラム６と主プーリー４の距離を取れない方のみを、補助プーリー５を介して供給するようにしてもよい。
【００５７】
図４（Ｂ）に示すバトン装置は、バトンを吊り下げる紐状体２を四本用いてバトンを四点吊りとしたものであり、駆動モーター７や回転軸９及び両巻き取りドラム６、６はケース３の中央の内側の紐状体２の吊り下げ位置の間に位置している。
【００５８】
この実施形態の場合、左右両端のプーリーは主プーリー４と補助プーリー５の２連滑車としておき、左右両端の紐状体２は巻き取りドラム６からそのまま主プーリー４に通してバトン１に繋いでいるが、内側の２本の紐状体２は、巻き取りドラム６から一旦両端の２連滑車の補助プーリー５に通して略１８０°折り返し、内側の主プーリー４に通してからバトン１に繋ぐようにしている。
【００５９】
このように、この発明のバトン装置は、バトン１の長さや吊り下げ用の紐状体２の数にかかわりなく適用することができ、巻き取りドラム６と主プーリー４との距離があまり取れなくて、巻き取り巻き戻しに伴い巻き取りドラム６への紐状体２の巻き取り時の角度が大きく変わるおそれのある紐状体２のみ、補助プーリー５を適用すればよい。
【００６０】
図５乃至図８は、バトン装置の紐状体に金属製ワイヤを用いて、比較的重量に耐えられるようにしたバトン装置において、バトンとワイヤとの接続固定に、高さ方向の寸法を要せず、強度を持つような接続固定の構造を示すものである。
【００６１】
まず、図５（Ａ）（Ｂ）（Ｃ）（Ｄ）に示す接続部材２１は、主部材２２と挟み部材３１とからなり、主部材２２は、バトン１が通過できる程度の大きさの貫通孔２３を有し、上部には両側の壁面２４に囲まれた上面平板２５を有している。
【００６２】
点線で示すように、貫通孔２３にバトン１が納まった状態で、上面平板２５はバトン１の最上部に迫っており、ここで前後２箇所のバトン押圧用ネジ孔２６にネジをねじ込んでバトン１を押さえつけることで、貫通孔２３下面とネジによりバトン１を挟み込んで押圧し、主部材２２とバトン１の強固な接続を図るようになっている。
【００６３】
上面平板２５の上面で両側の壁面２４に囲まれた部分には、溝用ブロック２９が主部材２２と一体として形成されており、この溝用ブロック２９には、垂直方向からバトンの長さ方向に沿った水平方向まで略９０°にわたってＶ字溝３０が彫り込まれている。なお、溝用ブロック２９を主部材２２とは別体として、主部材２２の両壁面２４間にネジ止めや溶接等の適宜手段にて強固に固定するようにしてもよい。
【００６４】
Ｖ字溝３０は、その開口部が垂直方向では横向きで水平方向では下向きになり、横から見て円弧の１／４となるよう、なだらかな曲線を描くように形成されている。
【００６５】
Ｖ字溝３０の大きさやその溝側面の角度は、使用される範囲のワイヤ２０が溝の底部に接すること無く溝の両側面にきちんと接する程度であれば特に限定されない。
【００６６】
また、上面平板２５のＶ字溝３０の水平部分の延長上には、Ｖ字溝３０を通ったワイヤ２０の端部付近が収納されるワイヤ通し溝２７が掘削されており、その両側には、挟み部材固定用ネジ孔２８が設けられている。
【００６７】
前記ワイヤ通し溝２７にワイヤ（図示せず）の端部付近を収納した状態で、上から図６で示すような挟み部材３１を重ね、挟み部材３１の下面に掘削されたワイヤ通し溝３２にワイヤを重ねてから、挟み部材３１側の固定用ネジ孔３３と、主部材２２（上部平板２５）側の挟み部材固定用ネジ孔２８にネジを通して締め付けることで、下側のワイヤ通し溝２７と上側のワイヤ通し溝３２にてワイヤを挟んで動かないように固定する。
【００６８】
図７はワイヤを装着した状態の接続部材２１の要部を示すもので、（Ａ）は直径２ｍｍのワイヤ２０ａを用いた場合、（Ｂ）はより太い直径３ｍｍのワイヤ２０ｂを用いた場合を示すものであり、図示のように、バトンにかかる重量の大部分は、ワイヤ２０ａ、２０ｂがＶ字溝３０の全長にて受け持ち、バトン１に荷重がかかればかかるほど、ワイヤ２０ａ、２０ｂはＶ字溝３０に食い込んでゆき、更にワイヤ２０ａ、２０ｂとＶ字溝３０の側面との摩擦力が増大する。
【００６９】
そのため、ワイヤ２０ａ、２０ｂにかかる荷重の大部分をＶ字溝３０の部分で受け止めることになり、ワイヤ２０ａ、２０ｂを主部材２２のワイヤ通し溝２７と挟み部材３１のワイヤ通し溝３２の挟み込みにより固定された端部への荷重の負担は軽くなる。仮に、大きな荷重がかかっても、ワイヤ２０ａ、２０ｂがＶ字溝３０に食い込んでゆくだけで、ワイヤ２０ａ、２０ｂの端部に加わるワイヤ引き抜き方向の力は過大にはならず、ワイヤ端部がすっぽ抜けるという事故が生じない。
【００７０】
このＶ字溝３０の深さをある程度取っておけば、細めのワイヤ２０ａの時はＶ字溝３０の奥深くにワイヤ２０ａが食い込み（図８（Ａ））、太めのワイヤ２０ｂの時はＶ字溝３０の浅めにワイヤ２０ｂが食い込み（図８（Ｂ））、比較的広範囲のワイヤの太さに対応することができる。
【００７１】
このようなバトン１とワイヤの接続構造とすれば、バトン１の上側にワイヤの接続のための寸法が少なくて済み、バトンの上昇位置を高く取ることができると共に、バトンを最上まで上げてケース内に納めた時のケース上下寸法も小さくすることができる。
【００７２】
以上この発明の実施形態について述べたが、この発明は上記実施形態に限定されるものではなく、この発明の目的の範囲内で適宜変更して実施することができ、この発明の目的の範囲内で、適宜各所を変更して実施することができる。
【符号の説明】
【００７３】
１  バトン
２（２ａ、２ｂ、２ｃ）  紐状体
３  カバー
４（４ａ、４ｂ、４ｃ）  主プーリー
５  補助プーリー
６（６ａ、６ｂ）  巻き取りドラム
７  モーター
８  螺旋溝
９  駆動軸
１０ａ、１０ｂ  傘歯車
１１  出力軸
１２  平歯車
１３  押さえ部材
１４  リミットスイッチ
２０ａ、２０ｂ  ワイヤ
２１  接続部材
２２  主部材
２３  貫通孔
２４  壁面
２５  上面平板
２６  バトン押圧用ネジ孔
２７  ワイヤ通し溝
２８  挟み部材固定用ネジ孔
２９  溝用ブロック
３０  Ｖ字溝
３１  挟み部材
３２  ワイヤ通し溝
３３  固定用ネジ孔
【図１】
0005925562.tif 000002
【図２】
0005925562.tif 000003
【図３】
0005925562.tif 000004
【図４】
0005925562.tif 000005
【図５】
0005925562.tif 000006
【図６】
0005925562.tif 000007
【図７】
0005925562.tif 000008
【図８】
0005925562.tif 000009
【図９】
0005925562.tif 000010
【図１０】
0005925562.tif 000011